(57)【要約】【課題】  小形で、信頼性の高いサージ防護デバイスを提供する。【解決手段】  一方が他方の厚さの２倍である二枚の板状の電圧非直線性抵抗基体７，１１を使用し、それぞれの主面の一方の上に共通電極８，１２を形成し、また他方の上に複数の電極９，１０および電極１３，１４を離隔して形成した。これら基体７，１１を、複数の電極９，１３および電極１０，１４同士が対向するよう配置し、それぞれの間に引出し端子４，５を介在させて接続して、一体化した。さらに、厚さの大きい基体１１の共通電極１２上に共通引出し端子６を配置し接続した。【選択図】    図２
2007305934.tif 000002
【特許請求の範囲】
【請求項１】
平行な二つの主面を有し、前記主面の一方の上に共通電極が形成され、また前記主面の他方の上に複数の電極が離隔して形成された板状の第１、第２の電圧非直線性抵抗基体を、前記複数の電極同士を対向させて配置し、かつ対向する電極間に引出し端子をそれぞれ介在させて接続するとともに、前記第１、第２の電圧非直線性抵抗基体のいずれか一方の共通電極上に共通引出し端子を配置し接続したサージ防護デバイス。
【請求項２】
前記第１、第２の電圧非直線性抵抗基体のそれぞれにおける他方主面上の複数の電極の離隔距離が前記第１、第２の電圧非直線性抵抗基体の厚さのいずれよりも大きい請求項１に記載のサージ防護デバイス。
【請求項３】
前記第２の電圧非直線性抵抗基体上に共通引出し端子を有し、前記第２の電圧非直線性抵抗基体上における前記複数の電極の離隔距離が、前記第２の電圧非直線性抵抗基体の厚さの少なくとも２倍である請求項１または２に記載のサージ防護デバイス。
【請求項４】
前記第１、第２の電圧非直線性抵抗基体の電流−電圧非直線特性の単位厚さ当りの立ち上がり電圧が等しく、かつ前記第２の電圧非直線性抵抗基体の厚さが前記第１の電圧非直線性抵抗基体の２倍であって、前記第２の電圧非直線性抵抗基体の共通電極上に前記共通引出し端子が配置された請求項１、２または３に記載のサージ防護デバイス。
【請求項５】
前記第２の電圧非直線性抵抗基体における一方の主面上の共通電極と他方の主面上の電極との間の電流−電圧非直線特性の立ち上がり電圧が、前記第１の電圧非直線性抵抗基体における一方の主面上の共通電極と他方の主面上の電極との間の電流−電圧非直線性の立ち上がり電圧の２倍であって、前記第２の電圧非直線性抵抗基体の共通電極上に前記共通引出し端子が配置された請求項１、２または３に記載のサージ防護デバイス。
【請求項６】
前記第１、第２の電圧非直線性抵抗基体の主面上に形成された電極それぞれと前記引出し端子とを、はんだおよび導電性樹脂のいずれか一方で電気的に接続した請求項１から５のいずれかに記載のサージ防護デバイス。
【請求項７】
前記引出し端子が、一つまたは複数の透孔が形成された板状導電体からなる請求項１から６のいずれかに記載のサージ防護デバイス。
【請求項８】
前記電圧非直線性抵抗基体が酸化亜鉛を主成分とするセラミックスからなる請求項１から７のいずれかに記載のサージ防護デバイス。
【請求項９】
前記第１、第２の電圧非直線性抵抗基体、前記電極および前記電極に接続された引出し端子が絶縁性材料からなる封止体で被覆された請求項１から８のいずれかに記載のサージ防護デバイス。
【発明の詳細な説明】
【技術分野】
【０００１】
本発明は、サージ防護デバイス、特に交流配電線路に接続された機器を雷サージ等から防護するためのサージ防護デバイスに関するものである。
【背景技術】
【０００２】
単相二線式交流配電線路や、直流配電線路や単相二線式交流配電線路等の電源線路に設置されるサージ防護デバイスは、通常、線路間、ならびに各線路とアースとの間に接続されるよう、電圧非直線性抵抗素子等の独立した部品をプリント配線基板上にそれぞれ半田付け等の方法で実装されている。
【０００３】
このデバイスでは、個別の電圧非直線性抵抗素子を使用して構成するため、それらの間の特性のばらつきがかなり大きく、結果としてデバイスとしての特性のばらつきを軽減することが非常に困難なものとなっている。さらに、複数個の電圧非直線性抵抗素子をプリント配線基板の所定位置にそれぞれ半田付けしなければならないことから、実装作業および実装状態の検査作業等が煩雑となり、実装と検査に長時間を必要としている。また、実装面積も広くなってプリント配線基板が大形化し、デバイスが大形なものとなる。さらには実装基板を絶縁ケースに収納すると、デバイスが一段と大形化し、それを電気機器や電子機器に内蔵させる場合にあっては機器の小形化が非常に困難なものとしている。
【０００４】
ところで、取付け工数を低減する方法として、３個の電圧非直線性抵抗素子を、良導体からなる電極引出し端子板を介在させて重ね合わせ、さらに両外側の電圧非直線性抵抗素子の外側電極を引出し端子板で接続することが提案されている（例：特許文献１）。
【０００５】
この方法によれば、デバイス組立時の接続箇所数を減少させ、また小形化できるという利点が得られるものの、個別の電圧非直線性抵抗素子を必要個数使用して組み立てるものであることから、デバイス特性が素子間の特性のばらつきに直接的に影響され、デバイスとしての信頼性を向上させることが非常に困難であった。
【０００６】
一方、平板状の電圧非直線性抵抗基体上に複数の電極を形成し、所定の回路構成としたデバイスが提案されている（例：特許文献２，３）。
【０００７】
これらデバイスは、接続箇所が少なくてすみ、その製造がきわめて容易であり、また、共通の基体を使用して構成しているため、特性要素間の特性が実質的に同じであることから、信頼性においても上述のデバイスに比べて優れている。
【特許文献１】実開昭５７−１５０９０６号公報
【特許文献２】特開２００３−９３８７号公報
【特許文献３】特開２００３−２２８８３号公報
【発明の開示】
【発明が解決しようとする課題】
【０００８】
しかしながら、このデバイスにおいては、電極が電圧非直線性抵抗基体上にそれを挟んで対をなす電極同士を対向させて二次元的に配置していることから、主面面積の広い基体が必要となり、デバイス自体が非常に大形化なものとなってしまう。このため、デバイス取付けスペースに制約のある用途に使用するためには、その小形化が強く望まれる。
【０００９】
本発明は、このような課題を解決した、小形で、なおかつ信頼性の高いサージ防護デバイスを提供しようとするものである。
【課題を解決するための手段】
【００１０】
本発明のサージ防護デバイスは、平行な二つの主面を有し、これら主面の一方の上に共通電極が形成され、またその他方の上に複数の電極が離隔して形成された板状の第１，第２の電圧非直線性抵抗基体を、複数の電極同士を対向させて配置し接続するとともに、対向する電極間に引出し端子をそれぞれ介在させ、さらに第１、第２の電圧非直線性抵抗基体のいずれか一方の共通電極上に共通引出し端子を配置し接続したものである。
【００１１】
このデバイスは、第１、第２の電圧非直線性抵抗基体を、一つの面上に設けた複数の電極を対向させ、それぞれの間に引出し端子を配置して接続し、さらに電圧非直線性抵抗基体の一方の共通電極を配置し接続したので、実装時の接続箇所数が低減され、かつその量産も容易となる。さらに、電圧非直線性抵抗基体それぞれにおいて共通電極と複数の電極との間に形成される非直線性要素は、基体が共通であることから、電流−電圧非直線性が実質的に同じであり、個別素子で構成したデバイスにあった特性のばらつきが解消される。
【００１２】
さらに、本発明のサージ防護デバイスにおいて、その電圧非直線性抵抗基体のそれぞれにおける他方主面上の複数の電極の離隔距離を、電圧非直線性抵抗基体の厚さのいずれよりも大きくした。
【００１３】
これによれば、電極間の電圧非直線性が基体の厚さ方向に依存し、サージ電圧に対して基体を介して対向する電極間の領域で導通するので、基体の面内方向すなわち同一主面上に配置された電極間での導通が抑制される。
【００１４】
さらにまた、本発明のサージ防護デバイスにおいて、共通引出し端子を有する電圧非直線性抵抗基体の、共通引出し端子と基体を介して対向する複数の電極の離隔距離を、この基体の厚さの少なくとも２倍とした。
【００１５】
このデバイスにおいては、サージ電圧の印加時、基体を介して対向する電極間の領域で導通し、基体の面内方向すなわち同一主面上に配置された電極間での導通が防止される。
【００１６】
さらにまた、本発明のサージ防護デバイスにおいて、第１、第２の電圧非直線性抵抗基体の電流−電圧非直線特性の単位厚さ当りの立ち上がり電圧が等しく、かつ第２の電圧非直線性抵抗基体の厚さが第１の電圧非直線性抵抗基体の２倍であって、第２の電圧非直線性抵抗基体の共通電極上に共通引出し端子を配置した。
【００１７】
このデバイスにおいては、第１の電圧非直線性抵抗基体における共通電極が、この基体を介して対向する電極間に形成された二つの特性要素を、直列に接続する導電体としての役割を有する。そして、共通引出し端子をアースに接続し、複数の電極同士の間に配置された引出し端子を配電線それぞれに接続することによって、単一デバイスで単相二線配電線のサージ防護を可能とする。また、両基体における電流−電圧非直線特性の単位厚さ当りの立ち上がり電圧を等しくしたことで、同一原料を使用して製造することが可能となり、その原料や製造条件等の管理が容易となる。
【００１８】
さらにまた、本発明のサージ防護デバイスにおいて、第２の電圧非直線性抵抗基体の厚さ方向の電流−電圧非直線特性の立ち上がり電圧を、第１の電圧非直線性抵抗基体における厚さ方向の電流−電圧非直線性の立ち上がり電圧の２倍とし、第２の電圧非直線性抵抗基体の共通電極上に共通引出し端子を配置した。
【００１９】
このデバイスにおいては、第１の電圧非直線性抵抗基体における共通電極が、この基体を介して対向する電極間に形成された二つの特性要素を、直列に接続する導電体としての役割を有する。そして、共通引出し端子をアースに接続し、複数の電極同士の間に配置された引出し端子を配電線それぞれに接続することによって、単一デバイスで単相二線配電線のサージ防護を可能とする。また、第１、第２の基体における電流−電圧非直線特性の立ち上がり電圧の比を１対２としたことで、両基体の原料を異なるものから選択することが可能となり、原材料選択での制約が軽減される。
【００２０】
さらにまた、本発明のサージ防護デバイスにおいて、第１、第２の電圧非直線性抵抗基体の主面上に形成された電極それぞれと引出し端子とを、はんだおよび導電性樹脂のいずれか一方を用いて電気的に接続することで、これら基体を一体化することで、構造的に強固なデバイスの量産が可能となる。
【００２１】
そして、引出し端子を一つまたは複数の透孔が形成された板状導電体で構成することで、これら基体の一体化がさらに強固なものとなる。
【発明の効果】
【００２２】
本発明のサージ防護デバイスによれば、接続箇所数を低減でき、実装基板への取付け工数をさ削減することができる。また、同一電圧非直線性抵抗基体で複数の特性要素を構成し、それぞれ基体における要素の特性が実質的に同じであることから、個別素子で構成したデバイスに比べて特性のばらつきを大幅に低減でき、信頼性の高いデバイスを提供することができる。
【発明を実施するための最良の形態】
【００２３】
以下、本発明の実施の形態について、図面を用いて説明する。
【００２４】
図１は単相二線式配電線路に使用されるサージ防護デバイスの外観を示す図であり、図２はその要部の構造を示す図である。
【００２５】
このデバイスは、図１（ａ）の側面図に示すように、主面がほぼ長方形で、平板状の二個の電圧非直線性抵抗素子１，２と、これらを気密に封止する、エポキシ樹脂等からなる絶縁被覆体３と、図１（ｂ）の上面図、同図（ｃ）の下面図に示すように、この被覆体３の長辺間に位置する端面の一つから突出する舌片状部が一体的に形成された三個の板状引出し端子４，５，６とを有する。端子４，５は、二相単線式配電線の各線にそれぞれ接続される端子であり、また端子６はアースに接続される端子である。
【００２６】
電圧非直線性抵抗素子１は、図２（ａ）の素子断面図に示すように、ほぼ長方形で平板状の電圧非直線性抵抗基体７を特性要素とする。この基体７の角部は、直交する二つの端面と連続した曲面とされる。素子１の一方の主面上には、図２（ｂ）に示すように、周縁に沿った所定の幅の領域を除いた領域内全域にわたって、面内方向の導電体としての共通電極８が形成されている。また、他方の主面上には、図２（ｃ）に示すように、二つの電極９，１０が、主面長手方向に離隔させ、かつ基体１の縁部から所定の間隔をおいて主面内に形成されている。
【００２７】
電圧非直線性抵抗素子２は、電圧非直線性抵抗基体１１、共通電極１２、および、この電極１２と基体１１を挟んで対向するよう形成された二つの電極１３，１４からなる。なお、電極１３，１４は、素子１における電極９，１０の間隔と等しくなるよう配置される。
【００２８】
基体７，１１は、酸化亜鉛を主成分とし、電流−電圧非直線特性を発現させるための成分を含むセラミックスからななる。これら基体７，１１は、酸化亜鉛（ＺｎＯ）を主成分原料とし、得られたセラミックスに電流−電圧非直線特性を発現させるための成分たとえば酸化ビスマス（Ｂｉ2Ｏ3）、酸化アンチモン（Ｓｂ2Ｏ3）、酸化コバルト（Ｃｏ3Ｏ4）、酸化マンガン（ＭｎＯ2）、酸化ニッケル（ＮｉＯ）、硝酸アルミニウム９水和物（Ａｌ（ＮＯ3）3・９Ｈ2Ｏ）、および酸化ホウ素（Ｂ2Ｏ3）等を所定比率で添加し、板状に成形してから、大気中において８７０〜１０５０℃の範囲内の温度で焼成することによって得られる。無論、上述の添加成分に限られるものでなく、ビスマスに代えてプラセオジウム（Ｐｒ）等の希土類元素等を用いても、電流−電圧非直線性を発現させることができる。
【００２９】
基体７，１１は、その単位厚さ当りの電流−電圧非直線特性の立ち上がり電圧が等しい場合には、基体７における厚さ方向の立ち上がり電圧が基体１１のそれの１／２となるよう、基体７，１１の厚さや、焼成条件等を制御して作製する。単位厚さ当りの立ち上がり電圧が等しい場合には、基体７，１１の厚さの関係を１：２とする。無論、単位厚さ当りの立ち上がり電圧をそろえることなく、基体７の厚さ方向の電流−電圧非直線特性の立ち上がり電圧と基体１１のそれとの比を１：２とすることによってもよく、これによれば原材料を選択する上での制約をいちじるしく緩和することが可能となる。
【００３０】
電極８〜１０および電極１２〜１４は、基体７，１１の主面上にそれぞれスクリーン印刷法で所定のパターンに銀ペーストを塗布し、焼付け処理することによって形成する。
【００３１】
そして、電極９と同１３、ならびに電極１０と同１４とをそれぞれ向かい合わせ、それらの間に、配電線に接続するための引出し端子４，５を配置し、さらに導電性接着剤または半田付けにより接続する。これによって、電圧非直線性抵抗素子１，２が強固に一体化される。そして、素子２の電極１２には、図２（ｄ）に示すように、アース端子に接続すべき共通引出し端子６を導電性接着剤または半田付けを使用して接続する。
【００３２】
ここで、素子１，２において、基体７，１１のそれぞれの同一表面に形成される電極９，１０、同１３，１４の離隔距離を、それぞれ基体７，１１の厚さよりも大とする。これによって、サージ電圧が印加されたとき、基体７においては電極８，９間または同８，１０間の基体部分の特性要素が、また基体１１においては電極１３，１２間または同１４，１２間の基体部分でもっぱら導通し、同一面内に配置された電極９，１０間および同１３，１４間での導通の発生が防止される。実験によれば、電極４，５および同１３，１４の間隔は、それぞれ基体７，１１の厚さの少なくとも２倍とすることが推奨される。この例では、電極９と同１３，電極１０と同１４とを対向させて接続した構造であるので、電極９，１０の間隔が同１３，１４間のそれと等しいことから、電圧非直線性基体の厚み方向の立ち上がり電圧が高い方の素子２の電極１３，１４の間隔と基体１１の厚さを上述の寸法関係とすればよい。
【００３３】
図４の等価回路図に示すように、このデバイスでは、電圧非直線性抵抗基体７と電極９，８とによって特性要素１５が、また、基体７と電極１０，８とによって特性要素１６がそれぞれ形成される。そして、これら要素１５，１６が共通電極８によって直列に接続されるとともに、その両端部が引出し端子４，５に接続される。また、電圧非直線性抵抗基体１１と電極１２，１３とによって特性要素１７が、また基体１１と電極１２，１４とによって特性要素１８がそれぞれ形成され、それぞれが共通の引出し端子６と互いに独立した引出し端子４，５との間にそれぞれ接続される。
【００３４】
そして、引出し端子４，５が配電線路用端子１９，２０にそれぞれ接続され、また引出し端子６がアース用端子２１に接続される。
【００３５】
上述のサージ防護デバイスは、二つの電圧非直線性抵抗基体１，２の厚さ方向の非直線特性の立ち上がり電圧を１：２の関係とし、複数個の電極を形成した主面同士を対向させ、導電性接着剤または半田を用いて、対応する電極９，１３、同１０，１４同士をそれぞれ引出し端子４，５を介在させて接合した構造であるので、電極を同一面内に二次元的に配置する場合に比べて、いちじるしく小形化することができる。また、立ち上がり電圧の高い基体２の共通電極１２に共通の引出し端子１６を同様の方法で接合するとともに、基体１の共通電極８を二つの特性要素の接続体としたので、接続に要する工数が大幅に減少させることができ、また特性要素間の特性のばらつきが小さいデバイスとすることができる。そして、引出し端子４，５，６をその舌片状部分が一方向へ突出するよう配置して、素子１，２を絶縁性樹脂たとえばエポキシ樹脂による封止が容易となり、信頼性の高いデバイスを低コストで容易に量産することができる。
【００３６】
さらに、引出し端子４，５に、図４（ａ）（ｂ）に示すように、円形や多角形等、種々の形状の透孔２２，２３を、一つまたは複数個穿設しけた端子を使用することで、電圧非直線性抵抗基体１，２と引出し端子４，５との間の導電性ペーストまたは半田が透孔２２，２３を通して一体化するため、これらの接合強度を高めることができる。無論、共通引出し端子６についても、同様な構造の端子とすることで、共通電極１２を介しての基体１１との接合強度を高めることができる。また、引出し端子３，４，６の表面を粗面化することによっても、導電ペーストまたは半田が接触する面積を増大させ、接合強度を高めることができる。
【００３７】
さらにまた、上述の例においては電圧非直線性抵抗基体７，１１の対向面側にそれぞれ２個の電極９，１０、電極１３，１４を設けているが、これら電極を等間隔に３個づつ設け、上述の例と同様に対応する電極同士の間に引出し端子を配置し、一体化することで、三相交流配電系統におけるサージ防護対策に有用なデバイスを提供することができる。
【図面の簡単な説明】
【００３８】
【図１】（ａ）は本発明のサージ防護デバイスにおける実施の形態の一例の側面図、（ｂ）はその上面図、（ｃ）はその下面図である。
【図２】（ａ）は図１に示した実施の形態におけるサージ防護素子の断面図、（ｂ）は（ａ）のｂ−ｂ断面図、（ｃ）は（ａ）のｃ−ｃ断面図である。
【図３】図１に示した実施の形態の等価回路図である。
【図４】（ａ），（ｂ）はそれぞれ引出し端子の他の構造例を示す平面図である。
【符号の説明】
【００３９】
１，２    電圧非直線性抵抗素子
３    絶縁被覆体
４，５    板状引出し端子
７    電圧非直線性抵抗基体
８    共通電極
９，１０    電極
１１    電圧非直線性抵抗基体
１２    共通電極
１３，１４    電極
１５，１６，１７，１８    特性要素
１９，２０    配電線路用端子
２２，２３    透孔
【図１】
2007305934.tif 000003
【図２】
2007305934.tif 000004
【図３】
2007305934.tif 000005
【図４】
2007305934.tif 000006